(57)【要約】【課題】表示装置の延伸時における画像品質の低下を抑制すること。【解決手段】表示装置本発明の一実施例による表示装置は、複数の表示素子が配置され、互いに離隔した複数のアイランド基板と、複数のアイランド基板を支持する下部基板と、複数のアイランド基板のそれぞれを電気的に連結する複数の連結配線と、複数のアイランド基板及び下部基板上に配置され、複数の表示素子からの光を伝達する光伝達部とを含む。表示装置【選択図】図３
2020071484.tif 000002
【特許請求の範囲】
【請求項１】
複数の表示素子が配置され、互いに離隔した複数のアイランド基板と、
前記複数のアイランド基板を支持する下部基板と、
前記複数のアイランド基板のそれぞれを電気的に連結する複数の連結配線と、
前記複数のアイランド基板及び前記下部基板上に配置され、前記複数の表示素子からの光を伝達する光伝達部と
を含む、表示装置。
【請求項２】
前記光伝達部は、
前記複数の連結配線及び前記下部基板上に配置され、前記複数の連結配線の上面及び前記下部基板の上面の一部を露出させる隔壁と、
前記隔壁及び前記複数のアイランド基板上に配置される光伝達層と
を含み、
前記隔壁、前記光伝達層、前記下部基板及び前記複数の連結配線は、複数の空隙をなすように構成される、
請求項１に記載の表示装置。
【請求項３】
前記隔壁の屈折率は、前記複数の光伝達層の屈折率と同一であるか、前記複数の光伝達層の屈折率よりも大きい、請求項２に記載の表示装置。
【請求項４】
前記光伝達層は、互いに離隔した複数のサブ光伝達層を含む、請求項２に記載の表示装置。
【請求項５】
前記複数のサブ光伝達層のそれぞれは、前記複数の表示素子のいずれか一つの表示素子及び前記隔壁のいずれか一部に重畳する、請求項４に記載の表示装置。
【請求項６】
前記光伝達層は、前記複数のサブ光伝達層間に配置され、ベース樹脂及び前記ベース樹脂に分散した複数の染料からなる遮蔽部をさらに含む、請求項４に記載の表示装置。
【請求項７】
前記遮蔽部は、前記ベース樹脂に分散した複数の散乱粒子をさらに含む、請求項６に記載の表示装置。
【請求項８】
前記ベース樹脂は、前記光伝達層と同一の物質からなる、請求項６に記載の表示装置。
【請求項９】
前記隔壁は、メッシュ状である、請求項２に記載の表示装置。
【請求項１０】
複数の剛性領域及び前記複数の剛性領域を取り囲むように配置された延性領域を含む下部基板と、
前記複数の剛性領域上に配置された複数の表示素子と、
前記下部基板上に配置され、前記複数の表示素子から発光した光を前記延性領域に誘導して前記下部基板の延伸時に発生する格子感を最小化するように構成された光伝達部と
を含む、表示装置。
【請求項１１】
前記光伝達部は、
前記複数の表示素子から発光した光を前記延性領域に誘導する光伝達層と、
前記延性領域に誘導された光を外部に出光させるように前記延性領域に誘導された光の経路を変更させる隔壁と
を含む、請求項１０に記載の表示装置。
【請求項１２】
前記隔壁は、前記延性領域及び前記複数の連結配線の上面に垂直な方向に延長し、
前記隔壁によって前記延性領域及び前記複数の連結配線の上面の一部が露出する、
請求項１１に記載の表示装置。
【請求項１３】
前記隔壁のモジュラスは、前記複数のアイランド基板のモジュラスより小さい、請求項１１に記載の表示装置。
【請求項１４】
前記光伝達層は、それぞれが前記複数の表示素子のいずれか一つの表示素子から発光した光が誘導される複数のサブ光伝達層を含み、
前記複数のサブ光伝達層は、互いに離隔している、
請求項１１に記載の表示装置。
【請求項１５】
前記複数のサブ光伝達層のそれぞれは、前記複数の剛性領域のいずれか一つの剛性領域及び前記延性領域の一部に重畳する、請求項１４に記載の表示装置。
【請求項１６】
前記光伝達層は、前記複数のサブ光伝達層間に配置され、前記光伝達層と屈折率が同一のベース樹脂及び前記ベース樹脂に分散した複数の染料を含む遮蔽部をさらに含む、請求項１４に記載の表示装置。
【請求項１７】
前記遮蔽部は、前記ベース樹脂に分散して前記遮蔽部に入射する光を散乱させて前記複数の染料で光経路を変更させる複数の散乱粒子をさらに含む、請求項１６に記載の表示装置。
【請求項１８】
前記遮蔽部は、前記複数の表示素子のそれぞれから発光した光が放出される複数の発光領域間に配置される、請求項１６に記載の表示装置。
【請求項１９】
前記複数のサブ光伝達層は、互いに異なる色の光を発光する前記複数の発光領域のそれぞれに重畳するように配置される、請求項１８に記載の表示装置。
【請求項２０】
前記複数の剛性領域上に配置された複数のアイランド基板と、
前記延性領域上に配置され、前記複数のアイランド基板のうち互いに隣接するアイランド基板に配置されたパッドを電気的に連結する複数の連結配線と
をさらに含み、
前記複数の表示素子のそれぞれは、前記複数のアイランド基板上に配置される、
請求項１０に記載の表示装置。
【発明の詳細な説明】
【技術分野】
【０００１】
本発明は、表示装置に関し、さらに詳しくは、開口率が向上され、延伸時にも画質が補償される表示装置に関する。
【背景技術】
【０００２】
コンピュータのモニターやＴＶ、携帯電話などに使用される表示装置には、自ら発光する有機発光表示装置（ＯｒｇａｎｉｃＬｉｇｈｔ  Ｅｍｉｔｔｉｎｇ  Ｄｉｓｐｌａｙ；ＯＬＥＤ）などの表示装置と、別途の光源を要する液晶表示装置（Ｌｉｑｕｉｄ  Ｃｒｙｓｔａｌ  Ｄｉｓｐｌａｙ；ＬＣＤ）などの表示装置とがある。
【０００３】
表示装置は、コンピュータのモニター及びＴＶだけでなく、個人用の携帯機器までその適用範囲が多様になっており、広い表示面積を有しつつも軽量で且つ体積の小さい表示装置に対する研究が進められている。
また、最近では、フレキシブル（ｆｌｅｘｉｂｌｅ）素材であるプラスチックなどのように柔延性のある基板に表示部、配線などを形成し、特定方向に伸縮が可能であり、多様な形状に変化可能に製造されるストレッチャブル表示装置が次世代表示装置として注目されている。
【発明の概要】
【発明が解決しようとする課題】
【０００４】
ストレッチャブル表示装置は、撓めたり伸びたりしても画像表示が可能な表示装置と指称されることができる。ストレッチャブル表示装置は、従来の一般的な表示装置と比べて高い柔軟性（フレキシビリティ）を有することができる。そこで、使用者がストレッチャブル表示装置を撓めたり伸ばしたりなど、使用者の操作によってストレッチャブル表示装置の形状を自由に変更することができる。例えば、使用者がストレッチャブル表示装置の末端を掴んで引っぱる場合、ストレッチャブル表示装置は、使用者の力によって伸びることができる。または、使用者がストレッチャブル表示装置を平坦でない壁面に配置する場合、ストレッチャブル表示装置は、壁面の表面の形状に沿って撓むように配置されることができる。また、使用者によって加えられる力が除去される場合、ストレッチャブル表示装置は、再び本来の形態に戻ることができる。
【０００５】
このようなストレッチャブル表示装置は、剛性領域と延性領域に分けられて実現されている。具体的には、剛性領域は、表示素子が配置されて実際に発光が行われる領域であり、延性領域は、ストレッチャブル表示装置に力を加えた時に実際に延伸が行われる領域である。
【０００６】
上述したように、ストレッチャブル表示装置を延伸する場合、ストレッチャブル表示装置全体が均一に延伸されず延性領域だけが延伸される。従って、ストレッチャブル表示装置の延伸時に剛性領域間の距離が大きくなり、これによって表示素子間の距離も大きくなる。従って、ストレッチャブル表示装置の延伸時に表示素子間の距離が大きくなると同時に、剛性領域に対する延性領域の大きさが増加するので、ストレッチャブル表示装置における発光領域の密度が下がり、画像品質が低下する。そこで、ストレッチャブル表示装置の延伸時に使用者が感じる格子感はさらに深刻化する。
【０００７】
本発明の発明者らは、上述したようなストレッチャブル表示装置の延伸時の問題点を認識し、これを解決することができる新しい構造の表示装置を発明した。
【０００８】
本発明が解決しようとする課題は、下部基板上に複数の表示素子から光を伝達させる光伝達部を配置することで、表示装置の延伸時に表示装置の画質の低下を最小化することができる表示装置を提供することにある。
【０００９】
本発明が解決しようとする他の課題は、複数の表示素子から光を複数のアイランド基板間の領域に誘導して、表示装置の延伸時に格子状の染みが表れることを低減することができる表示装置を提供することにある。
【００１０】
本発明が解決しようとするさらに他の課題は、複数のアイランド基板間の領域に誘導された複数の表示素子からの光による混色の発生を低減することができる表示装置を提供することにある。
【００１１】
本発明の課題は、以上で言及した課題に制限されず、言及されなかった他の課題は、下記の記載から当業者に明確に理解できるであろう。
【課題を解決するための手段】
【００１２】
前述したような課題を解決するために、本発明の一実施例による表示装置は、複数の表示素子が配置され、互いに離隔した複数のアイランド基板と、複数のアイランド基板を支持する下部基板と、複数のアイランド基板のそれぞれを電気的に連結する複数の連結配線と、複数のアイランド基板及び下部基板上に配置され、複数の表示素子からの光を伝達する光伝達部とを含むことで、表示装置の延伸時に表示装置の画質が低下することを最小化することができる。
【００１３】
前述したような課題を解決するために、本発明の他の実施例による表示装置は、複数の剛性領域及び複数の剛性領域を取り囲むように配置された延性領域を含む下部基板と、複数の剛性領域上に配置され、複数の表示素子が配置された複数のアイランド基板と、複数のアイランド基板のうち互いに隣接するアイランド基板に配置されたパッドを電気的に連結する複数の連結配線と、下部基板上に配置され、複数の表示素子から発光した光を延性領域に誘導して下部基板の延伸時に発生する格子感を最小化するように構成された光伝達部とを含む。
その他の実施例の具体的な事項は、詳細な説明及び図面に含まれている。
【発明の効果】
【００１４】
本発明は、複数の表示素子からの光を複数のアイランド基板間の領域に伝達させることができ、複数の表示素子から発光した光が放出される発光領域の大きさを増加させる効果がある。
【００１５】
本発明は、複数の表示素子からの光を複数の表示素子の側面方向に伝達させることができ、表示装置の延伸時に複数のサブ画素間の距離が増えることによって発生する輝度低下を最小化する効果がある。
【００１６】
本発明は、互いに異なる色相の光を発光する複数の表示素子の上部を覆う複数のサブ光伝達層を互いに離隔して、複数の表示素子の側面方向に誘導された光の混色を最小化する効果がある。
【００１７】
本発明は、複数のサブ光伝達層のそれぞれに一つの表示素子から発光した光が放出されるようにして、色純度を向上させる効果がある。
本発明による効果は、以上で例示された内容によって制限されず、さらに多様な効果が本発明内に含まれている。
【図面の簡単な説明】
【００１８】
【図１】本発明の一実施例による表示装置の分解斜視図である。
【図２】本発明の一実施例による表示装置の拡大平面図である。
【図３】図１の一つのサブ画素に対する概略的な断面図である。
【図４】本発明の他の実施例による表示装置の拡大平面図である。
【図５】図４のＶ−Ｖ’に沿った概略的な断面図である。
【図６】本発明のまた他の実施例による表示装置の拡大平面図である。
【図７】図６のＶＩＩ−ＶＩＩ’に沿った概略的な断面図である。
【図８】本発明のまた他の実施例による表示装置の概略的な断面図である。
【発明を実施するための形態】
【００１９】
本発明の利点及び特徴、そして、これらを達成する方法は、添付の図面と共に詳しく後述されている実施例を参照すれば明確になるであろう。しかし、本発明は、以下で開示される実施例に制限されるものではなく、互いに異なる多様な形状で実現されることができ、但し、本実施例は本発明の開示を完全にして、本発明が属する技術分野で通常の知識を持った者に発明の範疇を完全に知らせるために提供されるものであり、本発明は請求項の範疇によって定義されるだけである。
【００２０】
本発明の実施例を説明するための図面に開示された形状、面積、大きさ、角度、個数などは、例示的であるので、本発明が図示された事項に制限されるものではない。また、本発明を説明するにあたって、関連の公知技術に対する具体的な説明が本発明の要旨を不要に曖昧にすると判断される場合、その詳しい説明は省略する。本発明上で言及された「含む」、「持つ」、「なる」などが使用される場合、「〜のみ」が使用されない限り、他の部分が追加されることができる。構成要素を単数で表現した場合に、特に明示的な記載事項がない限り、複数を含む場合を含む。
【００２１】
構成要素を解釈するにあたって、別途の明示的記載がなくても誤差範囲を含むと解釈する。
【００２２】
位置関係に対する説明の場合、例えば、「〜上に」、「〜上部に」、「〜下部に」、「〜横に」などと二つの部分の位置関係が説明される場合、「直」または「直接」が使用されない限り、二つの部分の間に一つ以上の他の部分が位置することもできる。
【００２３】
素子または層が他の素子または層の「上」と指称されることは、他の素子直上に、または中間に他の層または他の素子を介在した場合を全て含む。
【００２４】
また、第１、第２などが多様な構成要素を述べるために使用されるが、これらの構成要素はこれらの用語によって制限されない。これらの用語は、単に一つの構成要素を他の構成要素と区別するために使用するものである。従って、以下で言及される第１構成要素は、本発明の技術的思想内で第２構成要素であることもできる。
【００２５】
明細書全体にわたって、同一の参照符号は同一の構成要素を指称する。
【００２６】
図面で表れた各構成の大きさ及び厚さは、説明の便宜のために図示されたものであり、本発明が図示された構成の大きさ及び厚さに必ずしも限定されるものではない。
【００２７】
本発明の様々な実施例のそれぞれの特徴が部分的にまたは全体的に互いに結合または組み合わせ可能であり、当業者が十分に理解できるように、技術的に多様な連動及び駆動が可能で、各実施例が互いに対して独立して実施してもよく、連関関係で共に実施してもよい。
【００２８】
以下では、添付の図面を参照して本発明の多様な実施例を詳しく説明する。
【００２９】
図１は、本発明の一実施例による表示装置の平面図である。図１を参照すると、表示装置１００は、下部基板１１０、複数のアイランド基板１１１、連結配線１８０、ＣＯＦ１３０（Ｃｈｉｐ  ｏｎ  Ｆｌｉｍ）、印刷回路基板１４０、上部基板１２０及び偏光層１９０を含む。図１では、説明の便宜のために、下部基板１１０と上部基板１２０を接着させるための第２接着層に対する図示を省略した。
【００３０】
下部基板１１０は、表示装置１００の様々な構成要素を支持し保護するための基板である。下部基板１１０は、延性基板として可撓性や延伸性を備える絶縁物質から構成されることができる。例えば、下部基板１１０は、ポリメチルシロキサン（ｐｏｌｙｄｉｍｅｔｈｙｌｓｉｌｏｘａｎｅ；ＰＤＭＳ）のようなシリコーンゴム（Ｓｉｌｉｃｏｎｅ  Ｒｕｂｂｅｒ）、ポリウレタン（ｐｏｌｙｕｒｅｔｈａｎｅ；ＰＵ）などの弾性重合体（ｅｌａｓｔｏｍｅｒ）からなることができ、柔軟な性質を持つことができる。しかし、下部基板１１０の材質はこれに制限されるものではない。
【００３１】
下部基板１１０は延性基板として、膨脹及び収縮が可逆的に可能である。また、弾性係数（ｅｌａｓｔｉｃ  ｍｏｄｕｌｕｓ）が数ＭＰａ〜数百ＭＰａであることができ、延伸破壊率が１００％以上であることができる。下部基板の厚さは１０ｕｍ〜１ｍｍであることができるが、これに制限されるものではない。
【００３２】
下部基板１１０は、表示領域ＡＡ及び表示領域ＡＡを取り囲む非表示領域ＮＡを有することができる。
【００３３】
表示領域ＡＡは、表示装置１００で映像が表示される領域であり、表示素子及び表示素子を駆動するための多様な駆動素子が配置される。表示領域ＡＡは、複数のサブ画素を含む複数の画素を含む。複数の画素は、表示領域ＡＡに配置され、複数の表示素子を含む。複数のサブ画素のそれぞれは、多様な配線と連結されることができる。例えば、複数のサブ画素のそれぞれは、ゲート配線、データ配線、高電位電源配線、低電位電源配線、基準電圧配線、共通配線などのような多様な配線と連結されることができる。
【００３４】
非表示領域ＮＡは、表示領域ＡＡに隣接した領域である。非表示領域ＮＡは、表示領域ＡＡに隣接して表示領域ＡＡを取り囲む領域である。非表示領域ＮＡは、映像が表示されない領域であり、配線及び回路部などが形成されることができる。例えば、非表示領域ＮＡには複数のパッドが配置されることができ、それぞれのパッドは表示領域ＡＡの複数のサブ画素のそれぞれと連結されることができる。
【００３５】
下部基板１１０上には複数のアイランド基板１１１が配置される。複数のアイランド基板１１１は剛性基板であり、互いに離隔して下部基板１１０上に配置される。複数のアイランド基板１１１は、下部基板１１０と比べて剛性が高い。即ち、下部基板１１０は、複数のアイランド基板１１１より高い延性特性を持つことができ、複数のアイランド基板１１１は下部基板１１０より高い剛性特性を持つことができる。
【００３６】
複数の剛性基板である複数のアイランド基板１１１は、柔軟性（フレキシビリティ）を持つプラスチック物質からなることができ、例えば、ポリイミド（ｐｏｌｙｉｍｉｄｅ；ＰＩ）、ポリアクリレート（ｐｏｌｙａｃｒｙｌａｔｅ）、ポリアセテート（ｐｏｌｙａｃｅｔａｔｅ）などからなることもできる。
【００３７】
複数のアイランド基板１１１のモジュラスは、下部基板１１０のモジュラスより高いことができる。モジュラスは、基板に加えられる応力によって変形する割合を表す弾性係数であり、モジュラスが相対的に高い場合、硬度が相対的に高い。従って、複数のアイランド基板１１１は、下部基板１１０と比べて高剛性である複数の剛性基板であることができる。複数のアイランド基板１１１のモジュラスは、下部基板１１０のモジュラスより１０００倍以上大きくできるが、これに制限されるものではない。
【００３８】
剛性特性を持つ複数のアイランド基板１１１が下部基板１１０上に配置されることにより、複数のアイランド基板１１１と重畳する下部基板１１０の一部領域は、複数のアイランド基板１１１による高剛性の剛性領域と定義されることができる。そして、複数のアイランド基板１１１と重畳しない下部基板１１０の残りの領域は下部基板１１０だけが配置されるので、延性の延性領域と定義されることができる。即ち、複数のアイランド基板１１１が配置される領域は複数の剛性領域であり、複数のアイランド基板１１１が配置されない領域は延性領域と定義されることができる。この時、複数のアイランド基板１１１は、互いに離隔して配置されるので、複数の剛性領域も互いに離隔して配置される領域として定義されることができ、延性領域は複数の剛性領域を取り囲む領域として定義されることができる。
【００３９】
この時、幾つかの実施例において、下部基板１１０のうち剛性領域に配置された部分は、延性領域に配置された部分よりモジュラスが高い。即ち、下部基板１１０のうちアイランド基板１１１と重畳した領域は、アイランド基板１１１と類似したモジュラスを持つ物質からなることができ、アイランド基板１１１と重畳しない領域は、アイランド基板１１１より低いモジュラスを持つ物質からなることができる。
【００４０】
複数のアイランド基板１１１間には連結配線１８０が配置される。連結配線１８０は、複数のアイランド基板１１１上に配置されるパッド間に配置されてそれぞれのパッドを電気的に連結することができる。連結配線１８０に関するさらに詳しい説明については、図２と共に後述する。
【００４１】
ＣＯＦ１３０は、延性を持つベースフィルム１３１に各種の部品を配置したフィルムであり、表示領域ＡＡの複数のサブ画素に信号を供給するための部品である。ＣＯＦ１３０は、非表示領域ＮＡに配置された複数のパッドにポンディングされることができ、パッドを通じて電源電圧、データ電圧、ゲート電圧などを表示領域ＡＡの複数のサブ画素のそれぞれに供給する。ＣＯＦ１３０は、ベースフィルム１３１及び駆動ＩＣ１３２を含み、その他にも各種の部品が配置されることができる。
【００４２】
ベースフィルム１３１は、ＣＯＦ１３０の駆動ＩＣ１３２を支持する層である。ベースフィルム１３１は、絶縁物質からなることができ、例えば、フレキシビリティを持つ絶縁物質からなることができる。
【００４３】
駆動ＩＣ１３２は、映像を表示するためのデータとこれを処理するための駆動信号を処理する部品である。図１では、駆動ＩＣ１３２がＣＯＦ１３０方式で実装されると図示したが、これに制限されず、駆動ＩＣ１３２は、ＣＯＧ（Ｃｈｉｐ  Ｏｎ  Ｇｌａｓｓ）、ＴＣＰ（Ｔａｐｅ  Ｃａｒｒｉｅｒ  Ｐａｃｋａｇｅ）などの方式で実装されることもできる。
【００４４】
印刷回路基板１４０には、ＩＣチップ、回路部などのような制御部が装着されることができる。また、印刷回路基板１４０には、メモリー、プロセッサなども装着されることができる。印刷回路基板１４０は、表示素子を駆動するための信号を制御部から表示素子に伝達する構成である。
【００４５】
印刷回路基板１４０は、ＣＯＦ１３０と連結されて複数のアイランド基板１１１の複数のサブ画素のそれぞれと電気的に連結されることができる。
【００４６】
上部基板１２０は、下部基板１１０と重畳して表示装置１００の様々な構成要素を保護するための基板である。上部基板１２０は、延性基板として撓んだり伸びたりできる絶縁物質から構成されることができる。例えば、上部基板１２０は、柔延性を持つ材料からなることができ、下部基板１１０と同一の物質からなることができるが、これに制限されるものではない。
【００４７】
偏光層１９０は、表示装置１００の外光反射を抑制する構成であり、上部基板１２０と重畳して上部基板１２０上に配置されることができる。但し、これに制限されず、偏光層１９０は、上部基板１２０の下部に配置されてもよく、表示装置１００の構成によっては省略されてもよい。
【００４８】
以下では、本発明の一実施例による表示装置１００に対するさらに詳しい説明のために、図２及び図３を共に参照する。
【００４９】
図２は、本発明の一実施例による表示装置の拡大平面図である。図３は、図１のサブ画素に対する概略的な断面図である。説明の便宜のために、図１も併せて参照する。
【００５０】
図２及び図３を参照すると、下部基板１１０上には複数のアイランド基板１１１が配置される。複数のアイランド基板１１１は、互いに離隔して下部基板１１０上に配置される。例えば、複数のアイランド基板１１１は、図１及び図２に示すように、下部基板１１０上にてマトリックス形態で配置されることができるが、これに制限されるものではない。
【００５１】
図３を参照すると、複数のアイランド基板１１１上にはバッファ層１１２が配置される。バッファ層１１２は、下部基板１１０及び複数のアイランド基板１１１の外部からの水分（Ｈ２Ｏ）及び酸素（Ｏ２）などの浸透から表示装置１００の多様な構成要素を保護するために複数のアイランド基板１１１上に形成される。バッファ層１１２は、絶縁物質から構成されることができ、例えば、シリコン窒化物（ＳｉＮｘ）、シリコン酸化物（ＳｉＯｘ）、シリコン酸化窒化物（ＳｉＯＮ）などからなる無機層が単層または複層で構成されることができる。但し、バッファ層１１２は、表示装置１００の構造や特性によっては省略されてもよい。
【００５２】
この時、バッファ層１１２は、複数のアイランド基板１１１と重畳する領域のみに形成されることができる。上述したように、バッファ層１１２は無機物からなることができるので、表示装置１００を延伸する過程で容易にクラック（ｃｒａｃｋ）が発生するなど損傷され得る。そこで、バッファ層１１２は、複数のアイランド基板１１１間の領域には形成されず、複数のアイランド基板１１１の形状にパターニングされて複数のアイランド基板１１１の上部のみに形成されることができる。そこで、本発明の一実施例による表示装置１００は、バッファ層１１２を剛性基板である複数のアイランド基板１１１と重畳する領域のみに形成して、表示装置１００が撓わんだり伸びたりするなど変形される場合でもバッファ層１１２の損傷を防止することができる。
【００５３】
図３を参照すると、バッファ層１１２上には、ゲート電極１５１、アクティブ層１５２、ソース電極１５３及びドレイン電極１５４を含むトランジスタ１５０が形成される。例えば、バッファ層１１２上にアクティブ層１５２が形成され、アクティブ層１５２上にアクティブ層１５２とゲート電極１５１を絶縁させるためのゲート絶縁層１１３が形成される。ゲート電極１５１とソース電極１５３及びドレイン電極１５４を絶縁させるための層間絶縁層１１４が形成され、層間絶縁層１１４上にアクティブ層１５２とそれぞれ接するソース電極１５３及びドレイン電極１５４が形成される。
【００５４】
そして、ゲート絶縁層１１３及び層間絶縁層１１４はパターニングされて複数のアイランド基板１１１と重畳する領域のみに形成されることができる。ゲート絶縁層１１３及び層間絶縁層１１４も、バッファ層１１２と同一に無機物からなることができるので、表示装置１００を延伸する過程で容易にクラックが発生するなど損傷され得る。そこで、ゲート絶縁層１１３及び層間絶縁層１１４は、複数のアイランド基板１１１間の領域には形成されず、複数のアイランド基板１１１の形状にパターニングされて複数のアイランド基板１１１の上部のみに形成されることができる。
【００５５】
図３では、説明の便宜のために、表示装置１００に含まれることができる多様なトランジスタのうち駆動トランジスタのみを図示したが、スイッチングトランジスタ、キャパシタなども表示装置に含まれることができる。また、本明細書では、トランジスタ１５０がコプラナー（ｃｏｐｌａｎａｒ）構造であると説明したが、スタッガード（ｓｔａｇｇｅｒｅｄ）構造などの多様なトランジスタも使用されることができる。
【００５６】
図３を参照すると、ゲート絶縁層１１３上にはゲートパッド１７１が配置される。ゲートパッド１７１は、ゲート信号を複数のサブ画素ＳＰＸに伝達するためのパッドである。ゲートパッド１７１は、ゲート電極１５１と同一の物質からなることができるが、これに制限されるものではない。
【００５７】
図３を参照すると、ゲート絶縁層１１３上には共通配線ＣＬが配置される。共通配線ＣＬは複数のサブ画素ＳＰＸに共通電圧を印加する配線である。共通配線ＣＬは、トランジスタ１５０のソース電極１５３及びドレイン電極１５４と同一の物質からなることができるが、これに制限されるものではない。
【００５８】
層間絶縁層１１４上に反射層ＲＬが配置される。反射層ＲＬは、ＬＥＤ１６０で発光した光の中で下部基板１１０側に向かって発した光を表示装置１００の上部に反射させて外部に出光させるための反射層ＲＬである。反射層ＲＬは、高い反射率を持つ金属物質からなることができる。
【００５９】
反射層ＲＬ上に反射層ＲＬを覆う第１接着層１１５が配置される。第１接着層１１５は、反射層ＲＬ上にＬＥＤ１６０を接着させるための層であり、金属物質からなる反射層ＲＬとＬＥＤ１６０を絶縁させることもできる。第１接着層１１５は、熱硬化物質または光硬化物質からなることができるが、これに制限されるものではない。図３では、第１接着層１１５が反射層ＲＬのみを覆うように配置されたと図示されたが、第１接着層１１５の配置位置はこれに制限されるものではない。
【００６０】
第１接着層１１５上に表示素子として無機発光素子であるＬＥＤ１６０が配置される。ＬＥＤ１６０は、反射層ＲＬと重畳するように配置される。ＬＥＤ１６０は、ｎ型層１６１、活性層１６２、ｐ型層１６３、ｎ電極１６５及びｐ電極１６４を含む。以下では、説明の便宜のために、ＬＥＤ１６０がラテラル（ｌａｔｅｒａｌ）構造であると仮定して説明するが、ＬＥＤ１６０は、バーティカル（ｖｅｒｔｉｃａｌ）構造またはフリップチップ（ｆｉｌｐ  ｃｈｉｐ）構造であってもよく、これに制限されない。また、本明細書では、表示素子として無機発光素子であるＬＥＤ１６０が使用されると説明されたが、これに制限されず、有機発光素子も表示素子として使用されることができる。
【００６１】
ＬＥＤ１６０のｎ型層１６１は、第１接着層１１５上で反射層ＲＬと重畳するように配置される。ｎ型層１６１は、優れた結晶性を持つ窒化ガリウムにｎ型不純物を注入して形成されることができる。ｎ型層１６１上には活性層１６２が配置される。活性層１６２はＬＥＤ１６０で光を発光する発光層で、窒化物半導体、例えば、インジウム窒化ガリウムからなることができる。活性層１６２上にｐ型層１６３が配置される。ｐ型層１６３は、窒化ガリウムにｐ型不純物を注入して形成されることができる。但し、ｎ型層１６１、活性層１６２及びｐ型層１６３の構成物質は、これに制限されるものではない。
【００６２】
ＬＥＤ１６０のｐ型層１６３上にｐ電極１６４が配置され、ｎ型層１６１上にｎ電極１６５が配置される。ｎ電極１６５とｐ電極１６４は、同一の導電性物質からなることができ、例えば、透明導電性酸化物からなることができるが、これに制限されるものではない。
【００６３】
一方、ｐ電極１６４とｎ電極１６５は互いに離隔して配置される。具体的には、ＬＥＤ１６０は、ｎ型層１６１、活性層１６２及びｐ型層１６３が順次に積層され、活性層１６２及びｐ型層１６３の所定部分がエッチングされてｎ電極１６５とｐ電極１６４を形成する方式で製造されることができる。この時、所定部分は、ｎ電極１６５とｐ電極１６４を離隔するためのもので、ｎ型層１６１の一部が露出するように所定部分がエッチングされることができる。つまり、ｎ電極１６５とｐ電極１６４が配置されるＬＥＤ１６０の面は、平坦化された面ではなく互いに異なる高さを持つことができる。そこで、ｐ電極１６４はｐ型層１６３上に配置され、ｎ電極１６５はｎ型層１６１上に配置され、ｐ電極１６４とｎ電極１６５は互いに異なる高さで互いに離隔して配置されることができる。そこで、ｎ電極１６５は、ｐ電極１６４より反射層ＲＬに隣接して配置されることができる。
【００６４】
図３を参照すると、トランジスタ１５０及びＬＥＤ１６０上に平坦化層１１６が形成される。平坦化層１１６は、トランジスタ１５０の上部及びＬＥＤ１６０の上部を平坦化する。平坦化層１１６は、単層または複数の層で構成されることができ、有機物質からなることができる。例えば、平坦化層１１６は、アクリル（ａｃｒｙｌ）系有機物質からなることができるが、これに制限されない。
【００６５】
幾つかの実施例において、トランジスタ１５０と平坦化層１１６との間にパッシベーション層が形成されることもできる。即ち、トランジスタ１５０を水分及び酸素などの浸透から保護するために、トランジスタ１５０を覆うパッシベーション層が形成されることができる。また、ＬＥＤ１６０のｎ型層１６１及びｐ型層１６３のそれぞれに接するｎ電極１６５及びｐ電極１６４を形成する前に、ｎ型層１６１とｐ型層１６３の電気的なショートを防止するための絶縁層としてｎ型層１６１、活性層１６２及びｐ型層１６３を覆うパッシベーション層が形成されることができる。パッシベーション層は無機物からなることができ、単層または複層からなることができるが、これに限定されるものではない。
【００６６】
図３を参照すると、平坦化層１１６上には、データパッド１７３、連結パッド１７２、第１電極１７４及び第２電極１７５が配置される。
【００６７】
データパッド１７３は、データ配線として機能する連結配線１８０からデータ信号を複数のサブ画素ＳＰＸに伝達することができる。データパッド１７３は、平坦化層１１６に形成されたコンタクトホールを通じてトランジスタ１５０のソース電極１５３と連結される。データパッド１７３は、平坦化層１１６上ではなく層間絶縁層１１４上に形成され、トランジスタ１５０のソース電極１５３及びドレイン電極１５４と同一の物質で形成されることができるが、これに制限されるものではない。
【００６８】
連結パッド１７２は、ゲート配線として機能する連結配線１８０からゲート信号を複数のサブ画素ＳＰＸに伝達することができる。連結パッド１７２は、平坦化層１１６及び層間絶縁層１１４に形成されたコンタクトホールを通じてゲートパッド１７１と連結され、ゲート信号をゲートパッド１７１に伝達する。連結パッド１７２は、データパッド１７３と同一の物質からなることができるが、これに制限されるものではない。
【００６９】
第１電極１７４は、トランジスタ１５０とＬＥＤ１６０を電気的に連結する電極である。第１電極１７４は、平坦化層１１６に形成されたコンタクトホールを通じてＬＥＤ１６０のｐ電極１６４と連結される。また、第１電極１７４は、平坦化層１１６に形成されたコンタクトホールを通じてトランジスタ１５０のドレイン電極１５４と連結される。従って、ＬＥＤ１６０のｐ電極１６４とトランジスタ１５０のドレイン電極１５４は、第１電極１７４によって電気的に連結されることができる。但し、トランジスタ１５０のタイプによって、第１電極１７４はトランジスタ１５０のソース電極１５３と連結されてもよく、これに制限されるものではない。
【００７０】
第２電極１７５は、ＬＥＤ１６０と共通配線ＣＬを電気的に連結する電極である。第２電極１７５は、平坦化層１１６及び層間絶縁層１１４に形成されたコンタクトホールを通じて共通配線ＣＬと連結され、平坦化層１１６に形成されたコンタクトホールを通じてＬＥＤ１６０のｎ電極１６５と連結される。従って、共通配線ＣＬとＬＥＤ１６０のｎ電極１６５は、電気的に連結されることができる。
【００７１】
表示装置１００がターンオン（Ｔｕｒｎ−Ｏｎ）される場合、トランジスタ１５０のドレイン電極１５４及び共通配線ＣＬのそれぞれには、互いに異なるレベルの電圧が印加されることができる。第１電極１７４には、トランジスタ１５０のドレイン電極１５４に印加される電圧が印加されることができ、第２電極１７５には、共通配線ＣＬからの共通電圧が印加されることができる。そして、互いに異なるレベルの電圧は、第１電極１７４及び第２電極１７５を通じてｐ電極１６４とｎ電極１６５に印加されることができ、ＬＥＤ１６０の活性層１６２に電流が流れてＬＥＤ１６０が発光することができる。
【００７２】
図３では、トランジスタ１５０がｐ電極１６４と電気的に連結され、共通配線ＣＬがｎ電極１６５と電気的に連結されると説明したが、トランジスタ１５０がｎ電極１６５と電気的に連結され、共通配線ＣＬがｐ電極１６４と電気的に連結されてもよく、これに制限されるものではない。
【００７３】
第１電極１７４、第２電極１７５、データパッド１７３、連結パッド１７２及び平坦化層１１６上にバンク１１７が配置される。バンク１１７は反射層ＲＬの末端と重畳するように配置され、バンク１１７と重畳しない反射層ＲＬの一部分は発光領域と定義されることができる。バンク１１７は、ＬＥＤ１６０で発光した光が隣接サブ画素ＳＰＸに伝達されて混色現象が発生することを防止するために、ブラック物質を含むように構成されることもできる。バンク１１７は、有機絶縁物質からなることができ、平坦化層１１６と同一の物質からなることができる。例えば、バンク１１７は、アクリル（ａｃｒｙｌ）系樹脂、ベンゾシクロブテン（ｂｅｎｚｏｃｙｃｌｏｂｕｔｅｎｅ；ＢＣＢ）系樹脂、またはポリイミドからなることができるが、これに制限されない。
【００７４】
バンク１１７は、データ配線として機能する連結配線１８０とデータパッド１７３を連結するコンタクトホール、及びゲート配線として機能する連結配線１８０と連結パッド１７２を連結するコンタクトホールを含む。
【００７５】
本発明の一実施例による表示装置１００を従来の一般的なフレキシブル有機発光表示装置と比べると、表示装置１００は、相対的に高い剛性を持つ複数のアイランド基板１１１が互いに離隔して相対的に延性を持つ下部基板１１０上に配置される構造を有する。また、表示装置１００のバッファ層１１２、ゲート絶縁層１１３、層間絶縁層１１４、平坦化層１１６、バンク１１７などは、複数のアイランド基板１１１のそれぞれに対応するようにパターニングされて配置される。即ち、本発明の一実施例による表示装置１００では、使用者が表示装置１００を伸ばしまた撓めた場合に表示装置１００がより容易に変形可能な構造を有し、表示装置１００が変形される過程で表示装置１００の構成要素が損傷されることを最小化することができる構造を有することができる。
【００７６】
本発明の一実施例による表示装置１００は、ＬＥＤ１６０を含む。ＬＥＤ１６０は、有機物質ではなく無機物質からなるので、信頼性に優れかつ液晶表示素子や有機発光素子に比べて寿命が長い。また、ＬＥＤ１６０は、点灯速度が速いだけでなく、消費電力が少なく、耐衝撃性が強くて安全性に優れ、発光効率に優れて高輝度の映像を表示することができるため、超大型画面への適用にも適した素子である。特に、ＬＥＤ１６０は、有機物質ではなく無機物質からなるので、有機発光素子を使用する場合に要求される封止層を使用しないことができる。従って、本発明の一実施例による表示装置１００では、ＬＥＤ１６０を表示素子として使用し、表示装置１００が撓んだり伸びたりするなど変形される場合に容易に損傷され得る封止層の使用を省略することができる。また、ＬＥＤ１６０は、有機物質ではなく無機物質からなるので、本発明の一実施例による表示装置１００の表示素子は、水分または酸素から保護されることができるため信頼性に優れる。
【００７７】
連結配線１８０は、複数のアイランド基板１１１上のパッドを電気的に連結する配線を意味する。連結配線１８０は、第１連結配線１８１及び第２連結配線１８２を含む。第１連結配線１８１は、連結配線１８０のうちＸ軸方向に延長する配線を意味し、第２連結配線１８２は、連結配線１８０のうちＹ軸方向に延長する配線を意味する。
【００７８】
一般的な表示装置の場合、複数のゲート配線、複数のデータ配線などのような多様な配線は、複数のサブ画素間で延長して配置され、一つの信号配線に複数のサブ画素が連結される。そこで、一般的な表示装置の場合、ゲート配線、データ配線、高電位電源配線、基準電圧配線、共通配線などのような多様な配線は、基板上で絶えなく表示装置の一側から他側に延長する。
【００７９】
これと違って、本発明の一実施例による表示装置１００の場合、金属物質からなるゲート配線、データ配線、高電位電源配線、基準電圧配線、共通配線などのような多様な配線は、複数のアイランド基板１１１上のみに配置される。即ち、本発明の一実施例による表示装置１００において、金属物質からなる多様な配線は複数のアイランド基板１１１上のみに配置され、下部基板１１０に接するように形成されないことができる。そこで、多様な配線は、複数のアイランド基板１１１に対応するようにパターニングされて不連続的に配置されることができる。
【００８０】
本発明の一実施例による表示装置１００では、このような不連続的な配線を連結するために、互いに隣接する二つのアイランド基板１１１上のパッドを連結配線１８０によって連結することができる。即ち、連結配線１８０は、隣接する二つのアイランド基板１１１上のパッドを電気的に連結する。従って、本発明の表示装置１００は、ゲート配線、データ配線、高電位電源配線、基準電圧配線、共通配線などのような多様な配線を複数のアイランド基板１１１間で電気的に連結する複数の連結配線１８０を含むことができる。例えば、Ｘ軸方向に隣接して配置された複数のアイランド基板１１１上にはゲート配線が配置されることができ、ゲート配線の両末端にはゲートパッド１７１が配置されることができる。この時、Ｘ軸方向に隣接して配置された複数のアイランド基板１１１上の複数のゲートパッド１７１のそれぞれは、ゲート配線として機能する連結配線１８０によって互いに連結されることができる。そこで、複数のアイランド基板１１１上に配置されたゲート配線と下部基板１１０上に配置された連結配線１８０が一つのゲート配線として機能することができる。また、データ配線、高電位電源配線、基準電圧配線、共通配線などのように表示装置１００に含まれることができる全ての多様な配線も、上述したように連結配線１８０によって一つの配線として機能することができる。
【００８１】
図２を参照すると、第１連結配線１８１は、Ｘ軸方向に隣接して配置された複数のアイランド基板１１１上のパッドのうち並んで配置された二つのアイランド基板１１１上のパッドを互いに連結することができる。第１連結配線１８１は、ゲート配線などとして機能することができるが、これに制限されない。例えば、第１連結配線１８１はゲート配線として機能することができ、バンク１１６に形成されたコンタクトホールを通じてＸ軸方向に並んで配置された二つのアイランド基板１１１上のゲートパッド１７１を電気的に連結することができる。そこで、上述したように、Ｘ軸方向に配置された複数のアイランド基板１１１上のゲートパッド１７１は、ゲート配線として機能する第１連結配線１８１によって連結されることができ、一つのゲート信号が伝達されることができる。
【００８２】
図２を参照すると、第２連結配線１８２は、Ｙ軸方向に隣接して配置された複数のアイランド基板１１１上のパッドのうち並んで配置された二つのアイランド基板１１１上のパッドを互いに連結することができる。第２連結配線１８２は、データ配線などとして機能することができるが、これに制限されない。例えば、第２連結配線１８２はデータ配線として機能することができ、バンク１１６に形成されたコンタクトホールを通じてＹ軸方向に並んで配置された二つのアイランド基板１１１上のデータパッド１７３を電気的に連結することができる。そこで、上述したように、Ｙ軸方向に配置された複数のアイランド基板１１１上のデータパッド１７３は、データ配線として機能する複数の第２連結配線１８２によって連結されることができ、一つのデータ信号が伝達されることができる。
【００８３】
図２を参照すると、連結配線１８０は、ベースポリマー及び伝導性粒子を含む。具体的に、第１連結配線１８１はベースポリマー及び伝導性粒子を含み、第２連結配線１８２はベースポリマー及び伝導性粒子を含む。
【００８４】
第１連結配線１８１は、アイランド基板１１１上に配置されたバンク１１７の上面及び側面、平坦化層１１６、層間絶縁層１１４、ゲート絶縁層１１３、バッファ層１１２、複数のアイランド基板１１１の側面と接し、下部基板１１０の上面に延長して形成されることができる。そこで、第１連結配線１８１は下部基板１１０の上面と接し、隣り合うアイランド基板１１１の側面と接し、隣り合うアイランド基板１１１上に配置されたバッファ層１１２、ゲート絶縁層１１３、層間絶縁層１１４、平坦化層１１６及びバンク１１７の側面と接することができる。そして、第１連結配線１８１は、隣り合うアイランド基板１１１に配置された連結パッド１７２と接することができるが、これに制限されるものではない。
【００８５】
第１連結配線１８１のベースポリマーは、下部基板１１０と類似して可撓性や延伸性を備える絶縁物質から構成されることができる。ベースポリマーは、例えば、ポリメチルシロキサン（ｐｏｌｙｄｉｍｅｔｈｙｌｓｉｌｏｘａｎｅ；ＰＤＭＳ）のようなシリコーンゴム（Ｓｉｌｉｃｏｎｅ  Ｒｕｂｂｅｒ）、ポリウレタン（ｐｏｌｙｕｒｅｔｈａｎｅ；ＰＵ）などの弾性重合体（ｅｌａｓｔｏｍｅｒ）、ＳＢＳ（Ｓｔｙｒｅｎｅ  Ｂｕｔａｄｉｅｎｅ  Ｓｔｙｒｅｎｅ）などを含むことができるが、これに制限されない。表示装置１００が撓んだり伸びたりする場合にもベースポリマーは損傷されない。ベースポリマーは、下部基板１１０及びアイランド基板１１１上にベースポリマーを構成する物質をコーティングするかスリット（ｓｌｉｔ）を使用して塗布する方式で形成されることができる。
【００８６】
第１連結配線１８１の伝導性粒子は、ベースポリマーに分散することができる。具体的には、第１連結配線１８１は、ベースポリマー内に一定の濃度で分散した伝導性粒子を含むことができる。第１連結配線１８１は、例えば、ベースポリマーに伝導性粒子を均一に撹拌した後、伝導性粒子が分散したベースポリマーを下部基板１１０及びアイランド基板１１１上にコーティング及び硬化する方式で形成されることができるが、これに制限されるものではない。伝導性粒子は、銀（Ａｇ）、金（Ａｕ）、炭素（Ｃａｒｂｏｎ）の少なくともいずれか一つを含むことができるが、これに制限されない。
【００８７】
第１連結配線１８１のベースポリマーに分散して配置された伝導性粒子は、互いに隣り合うアイランド基板１１１にそれぞれ配置された連結パッド１７２を電気的に連結する伝導性経路をなすことができる。また、複数のアイランド基板１１１のうち最外郭に配置されたアイランド基板１１１に形成されたゲートパッド１７１と非表示領域ＮＡに配置されたパッドを電気的に連結して伝導性経路をなすことができる。
【００８８】
図２を参照すると、第１連結配線１８１のベースポリマー及びベースポリマーに分散した伝導性粒子は、互いに隣接するアイランド基板１１１に配置されたパッド間を直線状に連結することができる。そのため、製造工程でベースポリマーは、複数のアイランド基板１１１のそれぞれに配置されたパッド間を連結するように直線状に形成されることができる。そこで、ベースポリマーに分散した伝導性粒子がなす伝導性経路も直線状であることができる。しかし、第１連結配線１８１のベースポリマー及び伝導性粒子の形成過程及び形状は、これに制限されない。
【００８９】
図２を参照すると、第２連結配線１８２は、アイランド基板１１１上に配置されたバンク１１７の上面及び側面、平坦化層１１６、層間絶縁層１１４、ゲート絶縁層１１３、バッファ層１１２、複数のアイランド基板１１１の側面と接して下部基板１１０の上面に延長して形成されることができる。そこで、第２連結配線１８２は、下部基板１１０の上面と接し、隣り合うアイランド基板１１１の側面と接し、隣り合うアイランド基板１１１上に配置されたバッファ層１１２、ゲート絶縁層１１３、層間絶縁層１１４、平坦化層１１６及びバンク１１７の側面と接することができる。そして、第２連結配線１８２は、隣り合うアイランド基板１１１に配置されたデータパッド１７３と接することができるが、これに制限されるものではない。
【００９０】
第２連結配線１８２のベースポリマーは、下部基板１１０と類似して可撓性や延伸性を備える絶縁物質から構成されることができ、第１連結配線１８１のベースポリマーと同一の物質であることができる。ベースポリマーは、例えば、ポリメチルシロキサン（ｐｏｌｙｄｉｍｅｔｈｙｌｓｉｌｏｘａｎｅ；ＰＤＭＳ）のようなシリコーンゴム（Ｓｉｌｉｃｏｎｅ  Ｒｕｂｂｅｒ）、ポリウレタン（ｐｏｌｙｕｒｅｔｈａｎｅ；ＰＵ）などの弾性重合体（ｅｌａｓｔｏｍｅｒ）、ＳＢＳ（Ｓｔｙｒｅｎｅ  Ｂｕｔａｄｉｅｎｅ  Ｓｔｙｒｅｎｅ）などを含むことができるが、これに制限されない。
【００９１】
そして、第２連結配線１８２の伝導性粒子は、ベースポリマーに分散することができる。具体的には、第２連結配線１８３->１８２は、ベースポリマー内に一定の濃度で分散した伝導性粒子を含むことができる。この時、第２連結配線１８２のベースポリマーの上部に分散した伝導性粒子の濃度とベースポリマーの下部に分散した伝導性粒子の濃度は、実質的に同一であることができる。また、第２連結配線１８１->１８２の製造工程は、第１連結配線１８１の製造工程と同一であることができ、同時に行われることもできる。
【００９２】
第２連結配線１８２のベースポリマーに分散して配置される伝導性粒子は、互いに隣り合うアイランド基板１１１にそれぞれ配置されたデータパッド１７３を電気的に連結する伝導性経路をなすことができる。また、複数のアイランド基板１１１のうち最外郭に配置されたアイランド基板１１１に形成されたデータパッド１７３と非表示領域ＮＡに配置されたパッドを電気的に連結して伝導性経路をなすことができる。
【００９３】
図２を参照すると、第２連結配線１８２のベースポリマー及びベースポリマーに分散した伝導性粒子は、互いに隣接するアイランド基板１１１に配置されたパッド間を直線状に連結することができる。そのため、製造工程でベースポリマーは、複数のアイランド基板１１１のそれぞれに配置されたパッド間を連結する直線状に形成されることができる。そこで、ベースポリマーに分散した伝導性粒子がなす伝導性経路も直線状であることができる。しかし、第２連結配線１８２のベースポリマー及び伝導性粒子の形成過程及び形状は、これに制限されない。
【００９４】
再び図３を参照すると、下部基板１１０上には上部基板１２０、偏光層１９０及び第２接着層１１８が配置される。
【００９５】
上部基板１２０は、上部基板１２０の下に配置される多様な構成要素を支持する基板である。上部基板１２０は、延性基板として可撓性や延伸性を備える絶縁物質から構成されることができる。上部基板１２０は、延性基板として、可逆的に膨脹及び収縮できる。また、弾性係数（ｅｌａｓｔｉｃ  ｍｏｄｕｌｕｓ）が数ＭＰａ〜数百ＭＰａであることができ、延伸破壊率が１００％以上であることができる。上部基板１２０の厚さは、１０ｕｍ〜１ｍｍであることができるが、これに制限されるものではない。
【００９６】
上部基板１２０は、下部基板１１０と同一の物質からなることができ、例えば、ポリメチルシロキサン（ｐｏｌｙｄｉｍｅｔｈｙｌｓｉｌｏｘａｎｅ；ＰＤＭＳ）のようなシリコーンゴム（Ｓｉｌｉｃｏｎｅ  Ｒｕｂｂｅｒ）、ポリウレタン（ｐｏｌｙｕｒｅｔｈａｎｅ；ＰＵ）などの弾性重合体（ｅｌａｓｔｏｍｅｒ）からなることができ、そのため、柔軟な性質を持つことができる。しかし、上部基板１２０の材質はこれに制限されるものではない。
【００９７】
上部基板１２０と下部基板１１０には圧力が加えられて、上部基板１２０の下に配置された第２接着層１１８によって上部基板１２０と下部基板１１０は合着することができる。但し、これに制限されず、実施例によって第２接着層１１８を省略することもできる。
【００９８】
上部基板１２０上には偏光層１９０が配置される。偏光層１９０は、表示装置１００の外部から入射する光を偏光させることができる。偏光層１９０を通過して表示装置１００の内部に入射した偏光された光は、表示装置１００の内部で反射することができ、そこで、位相が切り替えられることができる。位相が切り替えられた光は偏光層１９０を通過できないことがある。そこで、表示装置１００の外部から表示装置１００の内部に入射した光は、表示装置１００の外部に再び放出できず、表示装置１００の外光反射は減少されることができる。
【００９９】
ストレッチャブル表示装置は、容易に撓んだり伸びたりする性質を持たなければならないため、モジュラスが小さく、延性特性を持つ基板を使用しようする試みがなされている。但し、モジュラスが小さいポリメチルシロキサン（ｐｏｌｙｄｉｍｅｔｈｙｌｓｉｌｏｘａｎｅ；ＰＤＭＳ）のような延性物質を下部の基板として使用する場合、モジュラスが小さい物質の熱に弱い特性により、トランジスタ、表示素子を形成する工程中に発生する高温、例えば、１００℃以上の温度によって基板が損傷される問題が発生した。
【０１００】
そこで、高温に耐えられる物質からなる基板上に表示素子を形成すると、表示素子を形成する工程で基板が損傷されることを防止することができる。そこで、ポリイミド（ｐｏｌｙｉｍｉｄｅ；ＰＩ）のように製造工程中に発生する高温に耐えられる物質で基板を形成する試みがあったが、高温に耐えられる物質は、モジュラスが大きく、延性特性を持たず、ストレッチャブル表示装置を延伸する過程で基板を撓めたり伸ばしたりしにくい問題が発生した。
【０１０１】
そこで、本発明の一実施例による表示装置１００では、トランジスタ１５０などが配置される領域のみに剛性基板である複数のアイランド基板１１１を配置した。よって、トランジスタ１５０などの製造工程における高温によって複数のアイランド基板１１１が損傷されない。
【０１０２】
また、本発明の一実施例による表示装置１００では、複数のアイランド基板１１１の下部及び上部に延性基板である下部基板１１０及び上部基板１２０を配置することができる。そこで、複数のアイランド基板１１１と重畳する領域を除いた下部基板１１０及び上部基板１２０の残りの領域は、容易に伸び、また撓むことができるので、表示装置１００が実現されることができる。また、剛性基板である複数のアイランド基板１１１上に配置されるトランジスタ１５０、ＬＥＤ１６０などが、表示装置１００の撓みや延伸によって損傷されることを防止されることができる。
【０１０３】
一方、ストレッチャブル表示装置が撓み、また伸びる場合、延性基板からなる下部基板だけが変形され、剛性基板からなるアイランド基板は変形されないことがある。この場合、複数のアイランド基板に配置されたそれぞれのパッドを連結する配線が可撓性及び延伸性を備える物質から構成されていない場合、配線は下部基板の変形によってクラックが発生するなどにより損傷され得る。
【０１０４】
これとは対照的に、本発明の一実施例による表示装置１００では、複数のアイランド基板１１１のそれぞれに配置されたパッドがベースポリマーと伝導性粒子を含む連結配線１８０と電気的に連結されることができる。ベースポリマーは、容易に変形されることができる延性を持つ。そこで、本発明の一実施例による表示装置１００は、表示装置１００が撓み、また伸びるなどの変形が起きても、ベースポリマーを含む連結配線１８０が複数のアイランド基板１１１間の領域で容易に変形されることができる効果がある。
【０１０５】
また、本発明の一実施例による表示装置１００では、連結配線１８０が伝導性粒子を含むことで、伝導性粒子からなる伝導性経路にベースポリマーの変形によってもクラックなどの損傷が発生しない。例えば、表示装置１００が撓み、また延伸するなどの変形がなされる場合、延性基板である下部基板１１０は、剛性基板である複数のアイランド基板１１１が配置された領域を除いた残りの領域で変形されることができる。この時、変形される下部基板１１０上に配置された複数の伝導性粒子間の距離が変化する。この時、ベースポリマー上部に配置されて伝導性経路を形成する複数の伝導性粒子の濃度は、複数の伝導性粒子間の距離が離れても電気的信号が伝達されるように高く維持される。従って、ベースポリマーが撓んだり伸びたりしても、複数の伝導性粒子による伝導性経路は電気的信号を円滑に伝達することができ、表示装置１００が撓んだり伸びたりするなどの変形がなされても、それぞれのパッド間で電気的信号を伝達することができる。
【０１０６】
本発明の一実施例による表示装置１００では、連結配線１８０がベースポリマー及び伝導性粒子を含むことで、互いに隣接した複数のアイランド基板１１１に配置されたそれぞれのパッド間を連結する連結配線１８０が最短長さを有するように、即ち、直線形態で配置されることができる。即ち、連結配線１８０は屈曲した形状で形成されなくても表示装置１００が実現されることができる。連結配線１８０の伝導性粒子は、ベースポリマーに分散して伝導性経路を形成する。そして、表示装置１００が撓んだり伸びたりするなど変形されることによって、伝導性粒子による伝導性経路が撓んだり伸びたりすることができる。この場合、伝導性粒子間の距離が変化するだけで、伝導性粒子が形成する伝導性経路は依然として電気的信号を伝達することができる。そこで、本発明の一実施例による表示装置１００では、連結配線１８０が占める空間を最小化することができる。
【０１０７】
一方、図１〜図３では、連結配線１８０がベースポリマー及びベースポリマーに分散した伝導性粒子から構成されると説明されたが、これに制限されず、連結配線１８０は金属物質からなることができる。この時、連結配線１８０は、アイランド基板１１１上に配置された多様な導電性構成要素、例えば、トランジスタ１５０のゲート電極１５１、ソース電極１５３、ドレイン電極１５４、共通配線ＣＬなどのような多様な導電性構成要素と同一の物質で同時に形成されることができる。この時、連結配線１８０は、平面上で屈曲した形状を有するように配置されて、表示装置１００の延伸時に容易に延伸することができる。また、連結配線１８０は、下部基板１１０と直接コンタクトしてもよく、連結配線１８０と下部基板１１０との間にはアイランド基板１１１から延長した基板が配置されてもよい。
【０１０８】
図４は、本発明の他の実施例による表示装置の拡大平面図である。図５は、図４のＶ−Ｖ’に沿った概略的な断面図である。図４及び図５の表示装置４００は、図３に示された表示装置１００と比べて光伝達部ＬＰをさらに含むことを除いては実質的に同一であるため、重複説明は省略する。図４では、説明の便宜のために、下部基板１１０、複数のアイランド基板１１１及び複数のサブ画素ＳＰＸ、光伝達部ＬＰのみを図示した。さらに、図５では、説明の便宜のために、複数のアイランド基板１１１上の構成要素のうち、複数のサブ画素ＳＰＸのそれぞれに配置される複数のＬＥＤ１６０のみを概略的に図示した。
【０１０９】
図４及び図５を参照すると、下部基板１１０及び複数のアイランド基板１１１上に光伝達部ＬＰが配置される。光伝達部ＬＰは、複数のＬＥＤ１６０からの光を伝達するために、隔壁４２２及び光伝達層４２０を含む。
【０１１０】
下部基板１１０及び複数の連結配線１８０上に隔壁４２２が配置される。具体的には、複数のアイランド基板１１１間の下部基板１１０及び連結配線１８０上に隔壁４２２が配置される。隔壁４２２は、複数のアイランド基板１１１上に配置された複数のＬＥＤ１６０から発光した光を、複数のアイランド基板１１１間の領域に伝達させることができる。具体的には、隔壁４２２は、複数のＬＥＤ１６０から発光した光のうち複数のＬＥＤ１６０の側面に向かう光を複数のアイランド基板１１１間の領域に伝達させて、複数のアイランド基板１１１間の領域でも光が出光されるようにする。
【０１１１】
隔壁４２２は、下部基板１１０及び複数の連結配線１８０の上面に垂直した方向に延長して形成されることができる。隔壁４２２は、平面上にてメッシュ状からなることができ、メッシュ状からなる隔壁４２２は、複数の連結配線１８０の上面及び下部基板１１０の上面の一部を露出させる。但し、隔壁４２２の平面状はこれに制限されない。
【０１１２】
隔壁４２２のモジュラスは、複数のアイランド基板１１１のモジュラスより小さく、下部基板１１０のモジュラスと類似するか同一であることができる。隔壁４２２は、表示装置４００の延伸時に、下部基板１１０及び連結配線１８０と共に変形されるように弾性力を持った物質からなることができる。例えば、隔壁４２２は、シリコーン、ウレタンなどの弾性を持った物質からなることができるが、これに制限されるものではない。
【０１１３】
図４及び図５を参照すると、複数のアイランド基板１１１と隔壁４２２上に光伝達層４２０が配置される。そこで、光伝達層４２０は上部基板として機能することができる。光伝達層４２０は、互いに離隔した複数のサブ光伝達層４２１を含む。具体的には、光伝達層４２０は、複数のＬＥＤ１６０のそれぞれに対応するようにパターニングされた複数のサブ光伝達層４２１を含むことができる。
【０１１４】
複数のサブ光伝達層４２１のそれぞれは、複数のＬＥＤ１６０のうち一つのＬＥＤ１６０と隔壁４２２の一部に重畳することができ、複数のサブ光伝達層４２１のそれぞれには、一つのＬＥＤ１６０から発光した光が誘導されることができる。複数のサブ光伝達層４２１は、互いに異なる色の光を発光する複数のサブ画素ＳＰＸのそれぞれに重畳するように配置されることができる。複数のサブ光伝達層４２１は、複数の剛性領域のいずれか一つの剛性領域の一部と重畳するように配置されることができ、また延性領域の一部と重畳するように配置されることができる。具体的には、複数のサブ光伝達層４２１は、ＬＥＤ１６０が配置された複数のアイランド基板１１１のうち一つのアイランド基板１１１と、一つのアイランド基板１１１に隣接して配置された隔壁４２２に重畳するように配置されることができる。そこで、複数のサブ光伝達層４２１は、複数のアイランド基板１１１と重畳する下部基板１１０の剛性領域と、複数のアイランド基板１１１と重畳しない下部基板１１０の延性領域の一部に重畳するように配置されることができる。この時、一つのＬＥＤ１６０から発光した光は、複数のサブ光伝達層４２１の中で前記ＬＥＤ１６０と重畳するサブ光伝達層４２１の全体に伝達することができる。そこで、一つのサブ光伝達層４２１に対応する領域が一つの発光領域のように機能することができる。
【０１１５】
そして、複数のサブ光伝達層４２１は、互いに離隔することで、一つのＬＥＤ１６０からの光が対応するサブ光伝達層４２１内のみで伝達することができ、離隔した他のサブ光伝達層４２１に伝達しないことができる。即ち、複数のサブ光伝達層４２１は互いに離隔し、複数のサブ光伝達層４２１間には複数のサブ光伝達層４２１より屈折率の低い気体が介在するので、一つのサブ光伝達層４２１における光が隣り合う他のサブ光伝達層４２１側に伝達しない。従って、複数のサブ光伝達層４２１は互いに離隔して配置されることにより、複数のＬＥＤ１６０から発光した光の混色を低減することができる。
【０１１６】
図４及び図５を参照すると、隔壁４２２、光伝達層４２０、下部基板１１０及び連結配線１８０は、複数の空隙４２３をなすように構成される。即ち、複数の空隙４２３の上部は光伝達層４２０に対応し、複数の空隙４２３の側部は隔壁４２２または光伝達層４２０に対応し、複数の空隙４２３の下部は下部基板１１０または連結配線１８０に対応することができる。そこで、複数の空隙４２３は、空気で満たされた空間であることができる。
【０１１７】
一方、隔壁４２２は、空気で満たされた複数の空隙４２３を持つことにより、複数のＬＥＤ１６０から発光した光を全反射の原理で複数のアイランド基板１１１間の領域でかつ光伝達層４２０全体に誘導させることができる。例えば、光伝達層４２０がポリメチルシロキサン（ｐｏｌｙｄｉｍｅｔｈｙｌｓｉｌｏｘａｎｅ；ＰＤＭＳ）からなる場合、光伝達層は約１．４の屈折率を有し、隔壁４２２がシリコーンまたはウレタンからなる場合、隔壁４２２は約１．４〜１．６の屈折率を有し、複数の空隙４２３に満たされた空気は１の屈折率を有することができる。この時、複数のＬＥＤ１６０から発光した光は光伝達層４２０に向かうことができ、光伝達層４２０内で複数の空隙４２３に向かう光は、全反射によって反射し続けられて光伝達層４２０内で伝達することができる。具体的には、全反射は、高屈折率の物質から低屈折率の物質に向かう光中の入射角が臨界角より大きい場合、二つの物質の界面を通過できず再び反射する現象である。この時、相対的に高屈折率の光伝達層４２０から低屈折率の空気に向かう光中の臨界角より大きい入射角を持つ光は、光伝達層４２０と複数の空隙４２３間の境界で再び光伝達層４２０の内部に反射し、光伝達層４２０の全面に伝達することができる。一方、光伝達層４２０から隔壁４２２に向かう光は、相対的に低屈折率の光伝達層４２０から高屈折率の隔壁４２２に向かうため、全反射が維持されず、光伝達層４２０と隔壁４２２の界面で屈折して入射角と異なる反射角で反射し、これにより、光伝達層４２０と隔壁４２２の界面で屈折された光は、光伝達層４２０の上面を通じて外部に出光されることができる。
【０１１８】
従って、複数のＬＥＤ１６０から発光した光のそれぞれを複数のサブ光伝達層４２１内に伝達させた後、複数のサブ光伝達層４２１の上部に出光させるために、複数のサブ光伝達層４２１の屈折率は、隔壁４２２の屈折率と同一であるかさらに小さいことができる。
【０１１９】
本発明の他の実施例による表示装置４００は、光伝達部ＬＰを配置して複数のＬＥＤ１６０から発光した光を複数のアイランド基板１１１間の領域まで伝達させて、表示装置４００の全面で輝度を均一にすることができる。表示装置４００の延伸時に、複数のアイランド基板１１１間の距離が大きくなり、複数のＬＥＤ１６０間の距離も大きくなる。この時、複数のＬＥＤ１６０間の距離が離れると、表示素子が配置されない複数のアイランド基板１１１間の領域で輝度低下が発生し得る。但し、複数のアイランド基板１１１間の領域は、外力によって容易に変形する領域であるため、光を発光する別途の表示素子を置いて輝度低下を補償し難く、格子状の染みなどが視認される。
【０１２０】
そこで、本発明の他の実施例による表示装置４００は、複数のアイランド基板１１１間の領域に光を伝達させる光伝達部ＬＰを配置して、複数のアイランド基板１１１間の領域で輝度低下を補償することができる。具体的には、光伝達部ＬＰは、複数のアイランド基板１１１間に配置され、空気が満たされた複数の空隙４２３を含む隔壁４２２、及び複数のＬＥＤ１６０及び隔壁４２２上に配置された光伝達層４２０を含む。複数のＬＥＤ１６０から発光した光は、複数の空隙４２３内の空気によって全反射されて複数のサブ光伝達層４２１全体に伝達することができ、隔壁４２２によって複数のサブ光伝達層４２１の上部に出光されることができる。この時、複数のサブ光伝達層４２１は、互いに離隔して配置されることによって複数のＬＥＤ１６０から発光した光が混色されず、複数のサブ光伝達層４２１のそれぞれには一つのＬＥＤ１６０から発光した光のみが伝達されることができる。そこで、複数のアイランド基板１１１間の領域に重畳する複数のサブ光伝達層４２１全体に光が伝達されることができ、まるで複数のアイランド基板１１１間の領域でも光が発光するように視認されることができる。そこで、表示装置４００を延伸して複数のアイランド基板１１１間の距離が増しても、複数のＬＥＤ１６０から発光した光が隔壁４２２及び複数のサブ光伝達層４２１を通じて表示装置４００の全面に満遍なく伝達して出光されるため、表示装置４００全面で輝度の均一度を向上させることができる。従って、本発明の他の実施例による表示装置４００は、複数の空隙４２３を持つ隔壁４２２及び光伝達層４２０を配置して、複数のアイランド基板１１１上の複数のＬＥＤ１６０から発光した光を複数のアイランド基板１１１間の領域に伝達させることができ、表示装置４００の延伸による輝度バラツキ及び格子感を最小化することができる。
【０１２１】
図６は、本発明のさらに他の実施例による表示装置の拡大平面図である。図７は、図６のＶＩＩ−ＶＩＩ’に沿った概略的な断面図である。図６及び図７の表示装置６００は、図４及び図５に図示された表示装置４００と比べて光伝達層６２０が遮蔽部６２４をさらに含むことを除いては実質的に同一であるため、重複説明は省略する。
【０１２２】
図６及び図７を参照すると、光伝達部ＬＰの光伝達層６２０は、複数のサブ光伝達層４２１間に配置された遮蔽部６２４をさらに含む。遮蔽部６２４は、複数のＬＥＤ１６０のそれぞれから発光した光が伝達される複数のサブ光伝達層４２１間に配置され、複数のサブ光伝達層４２１と接触して、複数のサブ光伝達層４２１のそれぞれに伝達された光が隣り合う複数のサブ光伝達層４２１に伝達される混色現象を防止するための構成である。
【０１２３】
この時、複数のＬＥＤ１６０のそれぞれに対応するように配置された複数のサブ光伝達層４２１のそれぞれは、上述したように一つの発光領域のように機能することができる。そこで、複数のサブ光伝達層４２１間に配置された遮蔽部６２４は、複数のＬＥＤ１６０のそれぞれから発光した光が放出される複数の発光領域間に配置されたと定義されることもできる。
【０１２４】
遮蔽部６２４は、光伝達層６２０と屈折率が同一のベース樹脂６２４Ａ及びベース樹脂６２４Ａに分散した複数の染料６２４Ｂを含む。複数の染料６２４Ｂは、複数のサブ光伝達層４２１内に伝達された光のうち他のサブ光伝達層４２１に向かう光を吸収して混色現象を防止することができる。即ち、図７に示すように、一つのサブ光伝達層４２１で伝達された光のうち遮蔽部６２４に入射した光は、遮蔽部６２４の染料６２４Ｂに入射して光が遮蔽部６２４に吸収されることができる。そこで、一つのサブ光伝達層４２１内で伝達された光は、隣り合う他のサブ光伝達層４２１に伝達されないことができる。
【０１２５】
本発明のまた他の実施例による表示装置６００は、複数のサブ光伝達層４２１間に遮蔽部６２４を配置して混色現象を最小化することができる。遮蔽部６２４は、ベース樹脂６２４Ａ及びベース樹脂６２４Ａ内に分散した複数の染料６２４Ｂを含む。遮蔽部６２４は、複数のサブ光伝達層４２１内で伝達された光のうち隣り合うサブ光伝達層４２１に向かう光を吸収して混色現象を防止することができる。従って、本発明のまた他の実施例による表示装置６００では、複数のサブ光伝達層４２１間に遮蔽部６２４を配置して、複数のサブ光伝達層４２１のそれぞれで一つの色相の光だけが伝達及び放出されるようにでき、光の混色を最小化することができる。
【０１２６】
図８は、本発明のまた他の実施例による表示装置の概略的な断面図である。図８の表示装置８００は、図６及び図７に示した表示装置６００と比べて、光伝達層８２０の遮蔽部８２４が複数の散乱粒子８２４Ｃをさらに含むことを除いては実質的に同一であるため、重複説明は省略する。
【０１２７】
図８を参照すると、光伝達部ＬＰの光伝達層８２０の遮蔽部８２４は、光伝達層８２０と屈折率が同一のベース樹脂６２４Ａ、ベース樹脂６２４Ａに分散した複数の染料６２４Ｂ及びベース樹脂６２４Ａと異なる屈折率を持ち、ベース樹脂６２４Ａに分散した複数の散乱粒子８２４Ｃを含む。上述したように、複数の染料６２４Ｂは、複数のサブ光伝達層４２１内に伝達された光のうち他のサブ光伝達層４２１に向かう光を遮蔽して混色現象を防止することができる。即ち、図８に示すように、一つのサブ光伝達層４２１で伝達された光のうち遮蔽部６２４に入射した光は、遮蔽部６２４の染料６２４Ｂに入射して光が遮蔽部６２４に吸収されることができる。よって、一つのサブ光伝達層４２１内で伝達された光は、隣り合う他のサブ光伝達層４２１に伝達されない。
【０１２８】
但し、遮蔽部８２４内で染料６２４Ｂの密度が低い場合は、遮蔽部８２４に入射する光の一部は染料６２４Ｂに吸収されず、染料６２４Ｂ間の空間を通過して隣り合うサブ光伝達層４２１に伝達されることがある。また、遮蔽部８２４内で染料６２４Ｂの密度が充分に高い場合も、表示装置８００を延伸する場合、染料６２４Ｂ間の間隔が増加して遮蔽部８２４に入射する光の一部は染料６２４Ｂに吸収されず、染料６２４Ｂ間の空間を通過して隣り合うサブ光伝達層４２１に伝達されることがある。
【０１２９】
そこで、本発明のまた他の実施例による遮蔽部８２４は、複数の染料６２４Ｂの他にベース樹脂６２４Ａに分散した複数の散乱粒子８２４Ｃをさらに含むことができる。複数の散乱粒子８２４Ｃは、複数の染料６２４Ｂ間を通過できる光を散乱させる方式で光経路を変更させて、散乱された光が複数の染料６２４Ｂ側に向かうようにできる。そこで、複数の染料６２４Ｂは、複数の散乱粒子８２４Ｃによって散乱された光を追加的に吸収することができる。ここで、複数の散乱粒子８２４Ｃは、中空ビード（ｂｅａｄ）であることができるが、これに制限されず、ベース樹脂６２４Ａと異なる屈折率を持ちながら入射する光を散乱できる物質からなる。
【０１３０】
本発明のさらに他の実施例による表示装置８００は、複数のサブ光伝達層４２１間に遮蔽部８２４を配置して混色現象を最小化することができる。遮蔽部８２４は、ベース樹脂６２４Ａ、複数の染料６２４Ｂ及び複数の散乱粒子８２４Ｃを含む。この時、遮蔽部４２１のベース樹脂６２４Ａ内に複数の染料６２４Ｂ及び散乱粒子８２４Ｃが共に分散して、複数の染料６２４Ｂの低い密度による混色現象、または表示装置８００の延伸時に複数の染料６２４Ｂ間の間隔が増加することによる混色現象を最小化することができる。従って、本発明のまた他の実施例による表示装置８００は、複数のサブ光伝達層４２１間に複数の染料６２４Ｂ及び複数の散乱粒子８２４Ｃが分散した遮蔽部８２４を配置して、複数のサブ光伝達層４２１のそれぞれで一つの色相の光のみが伝達及び放出されるようにでき、光の混色を最小化することができる。
【０１３１】
本発明の例示的な実施例は、以下のように説明することができる。
本発明の一実施例による表示装置は、複数の表示素子が配置され、互いに離隔した複数のアイランド基板と、複数のアイランド基板を支持する下部基板と、複数のアイランド基板のそれぞれを電気的に連結する複数の連結配線と、複数のアイランド基板及び下部基板上に配置され、複数の表示素子からの光を伝達する光伝達部とを含む。
【０１３２】
本発明の他の特徴によると、光伝達部は、複数の連結配線及び下部基板上に配置され、複数の連結配線の上面及び下部基板の上面の一部を露出させる隔壁と、隔壁及び複数のアイランド基板上に配置される光伝達層とを含み、隔壁、光伝達層、下部基板及び複数の連結配線は、複数の空隙をなすように構成されることができる。
【０１３３】
本発明のまた他の特徴によると、隔壁の屈折率は、複数の光伝達層の屈折率と同一であるかさらに大きいことができる。
【０１３４】
本発明のまた他の特徴によると、光伝達層は、互いに離隔した複数のサブ光伝達層を含むことができる。
【０１３５】
本発明のまた他の特徴によると、複数のサブ光伝達層のそれぞれは、複数の表示素子のいずれか一つの表示素子及び隔壁のいずれか一部に重畳することができる。
【０１３６】
本発明のまた他の特徴によると、光伝達層は、複数のサブ光伝達層間に配置され、ベース樹脂及びベース樹脂に分散した複数の染料からなる遮蔽部をさらに含むことができる。
【０１３７】
本発明のまた他の特徴によると、遮蔽部は、ベース樹脂に分散した複数の散乱粒子をさらに含むことができる。
【０１３８】
本発明のまた他の特徴によると、ベース樹脂は、光伝達層と同一の物質からなることができる。
【０１３９】
本発明のまた他の特徴によると、隔壁は、メッシュ状である。
【０１４０】
本発明のまた他の特徴によると、複数の表示素子は、無機発光素子または有機発光素子である。
【０１４１】
本発明の他の実施例による表示装置は、複数の剛性領域及び複数の剛性領域を取り囲むように配置された延性領域を含む下部基板と、複数の剛性領域上に配置された複数の表示素子と、下部基板上に配置され、複数の表示素子から発光した光を延性領域に誘導して下部基板の延伸時に発生する格子感を最小化するように構成された光伝達部とを含む。
【０１４２】
本発明の他の特徴によると、光伝達部は、複数の表示素子から発光した光を延性領域に誘導する光伝達層と、延性領域に誘導された光を外部に出光させるように延性領域に誘導された光の経路を変更させる隔壁とを含むことができる。
【０１４３】
本発明のまた他の特徴によると、隔壁は、延性領域及び複数の連結配線の上面に垂直な方向に延長し、隔壁によって延性領域及び複数の連結配線の上面の一部が露出することができる。
【０１４４】
本発明のまた他の特徴によると、隔壁のモジュラスは、複数のアイランド基板のモジュラスより小さいことができる。
【０１４５】
本発明のまた他の特徴によると、光伝達層は、それぞれが複数の表示素子のいずれか一つの表示素子から発光した光が誘導される複数のサブ光伝達層を含み、複数のサブ光伝達層は、互いに離隔することができる。
【０１４６】
本発明のまた他の特徴によると、複数のサブ光伝達層のそれぞれは、複数の剛性領域のいずれか一つの剛性領域及び延性領域の一部に重畳することができる。
【０１４７】
本発明のまた他の特徴によると、光伝達層は、複数のサブ光伝達層間に配置され、光伝達層と屈折率が同一のベース樹脂及びベース樹脂に分散した複数の染料を含む遮蔽部をさらに含むことができる。
【０１４８】
本発明のまた他の特徴によると、遮蔽部は、ベース樹脂に分散して遮蔽部に入射する光を散乱させて複数の染料で光経路を変更させる複数の散乱粒子をさらに含むことができる。
【０１４９】
本発明のまた他の特徴によると、遮蔽部は、複数の表示素子のそれぞれから発光した光が放出される複数の発光領域間に配置されることができる。
【０１５０】
本発明のまた他の特徴によると、複数のサブ光伝達層は、互いに異なる色の光を発光する複数の発光領域のそれぞれに重畳するように配置されることができる。
【０１５１】
本発明のまた他の特徴によると、複数の剛性領域上に配置された複数のアイランド基板と、延性領域上に配置され、複数のアイランド基板のうち互いに隣接するアイランド基板に配置されたパッドを電気的に連結する複数の連結配線とをさらに含み、複数の表示素子のそれぞれは、複数のアイランド基板上に配置されることができる。
【０１５２】
以上、添付の図面を参照して本発明の実施例をさらに詳しく説明したが、本発明は、必ずしもこのような実施例に限られるものではなく、本発明の技術思想を逸脱しない範囲内で多様に変形実施されることができる。従って、本発明に開示された実施例は、本発明の技術思想を限定するためではなく説明するためのもので、このような実施例によって本発明の技術思想の範囲が限定されるものではない。従って、以上で記述した実施例は全ての面で例示的であり、限定的ではないと理解すべきである。本発明の保護範囲は、下記の請求の範囲によって解釈されなければならず、それと同等な範囲内にある全ての技術思想は、本発明の権利範囲に含まれると解釈されなければならない。
【図１】
2020071484.tif 000003
【図２】
2020071484.tif 000004
【図３】
2020071484.tif 000005
【図４】
2020071484.tif 000006
【図５】
2020071484.tif 000007
【図６】
2020071484.tif 000008
【図７】
2020071484.tif 000009
【図８】
2020071484.tif 000010